(57)【要約】【課題】偏向コイルの特性により偏向磁界が歪んだ場合でも十分にジグザグ状縦線障害を除去することが可能な往復偏向回路およびそれを備えた映像表示装置を提供する。【解決手段】水平偏向回路６の水平偏向コイル６０は、水平同期信号ＨＳおよび切替信号ＣＳに応答して水平方向に電子ビームを往復偏向させるための水平偏向磁界ＡＨを発生する。磁界検出回路７は、水平偏向コイル６０より発生される水平偏向磁界ＡＨを検出する。磁界検出回路７は検出した水平偏向磁界ＡＨに基づいてアナログの磁界検出信号ＧＨを生成する。生成された磁界検出信号ＧＨはクロック変調回路８に与えられる。クロック変調回路８は、磁界検出信号ＧＨに基づいて、変調された読み出しクロックＲＣＫを生成する。変調された読み出しクロックＲＣＫに基づいて映像用ラインメモリ２、Ｄ／Ａコンバータ３およびＡ／Ｄコンバータ８１の動作が制御される。【選択図】        図１
2005010241.tif 000002
【特許請求の範囲】
【請求項１】
画面水平方向において電子ビームを往復偏向するための往復偏向回路であって、
電子ビームを水平方向に往復偏向するための水平偏向磁界を発生する水平偏向コイルと、
前記水平偏向コイルより発生される水平偏向磁界を検出し、前記水平偏向磁界に対応する磁界検出信号を発生する水平偏向磁界検出手段と、
往路および復路の水平走査期間における映像信号を記憶するための記憶手段と、
映像信号を前記記憶手段へ書き込むための書き込みクロックを発生する書き込みクロック発生手段と、
前記記憶手段に記憶された映像信号を読み出すための読み出しクロックを発生するとともに前記磁界検出手段により発生された磁界検出信号に基づいて前記読み出しクロックの周波数を変調することにより、往路の水平走査期間に表示される映像と復路の水平走査期間に表示される映像との水平方向におけるずれを補正する読み出しクロック変調手段を備えたことを特徴とする往復偏向回路。
【請求項２】
前記読み出しクロック変調手段は、
前記磁界検出手段により発生された磁界検出信号に基づいて往路および復路の水平走査期間のうち一方の水平走査期間における前記読み出しクロックの周波数を変調することを特徴とする請求項１記載の往復偏向回路。
【請求項３】
前記読み出しクロック変調手段は、
前記往路および復路の水平走査期間のうち一方の水平走査期間における磁界検出信号を前記往路の水平走査期間と前記復路の水平走査期間との切り替わり時点を基準に時間軸上で反転する反転手段と、
前記往路および復路の水平走査期間のうち他方の水平走査期間における磁界検出信号と前記反転手段により得られた磁界検出信号との差分を検出する差分検出手段と、
前記差分検出手段により算出される差分が小さくなるように、前記往路および復路の水平走査期間のうち一方の水平走査期間において前記読み出しクロックの周波数を変調する周波数変調手段とを含むことを特徴とする請求項１記載の往復偏向回路。
【請求項４】
前記周波数変調手段は、
前記差分検出手段により算出される差分に基づいて前記往路および復路の水平走査期間のうち一方の水平走査期間において前記往路の水平走査期間と前記復路の水平走査期間との切り替わり時点から順次変調波形を生成する変調波形生成手段と、
前記変調波形生成手段により生成される変調波形に基づいて変化する周波数を有する前記読み出しクロックを発生するクロック発生手段とを含むことを特徴とする請求項３記載の往復偏向回路。
【請求項５】
前記クロック発生手段は、
サイン波形を発生するサイン波発生手段と、
前記変調波形生成手段により生成される変調波形に基づいて前記サイン波形の周波数を変調することにより変調された前記読み出しクロックを発生するサイン波形変調手段とを含むことを特徴とする請求項４記載の往復偏向回路。
【請求項６】
前記周波数変調手段は、
前記往路の水平走査期間における前記読み出しクロックの周波数の平均と前記復路の水平走査期間における前記読み出しクロックの周波数の平均とが等しくなるように水平ブランキング期間において前記変調波形生成手段により生成される変調波形を補正する変調波形補正手段をさらに含むことを特徴とする請求項４または５記載の往復偏向回路。
【請求項７】
前記読み出しクロック変調手段は、前記往路の水平走査期間に表示される映像と前記復路の水平走査期間に表示される映像との水平方向におけるずれが収束したか否かを判定する収束判定手段を含み、
前記変調波形生成手段は、前記収束判定手段によりずれが収束したと判定された場合に変調波形の更新を終了することを特徴とする請求項４〜６のいずれかに記載の往復偏向回路。
【請求項８】
前記収束判定手段は、
前記往路および復路の水平走査期間のうち一方の水平走査期間における磁界検出信号を順に取り込み、取り込み順と逆の順に出力する順序反転手段と、
前記往路および復路の水平走査期間のうち他方の水平走査期間における磁界検出信号と前記順序反転手段から出力される磁界検出信号との差分を累積加算する累積加算手段と、
前記累積加算手段により得られる累積加算値が極小値となった場合にずれが収束したと判定する判定手段とを含むことを特徴とする請求項７記載の往復偏向回路。
【請求項９】
画面水平方向において電子ビームを往復偏向するための往復偏向回路と、前記往復偏向回路により往復偏向された電子ビームに基づいて映像を表示する映像表示手段とを備え、
前記往復偏向回路は、
電子ビームを水平方向に往復偏向するための水平偏向磁界を発生する水平偏向コイルと、
前記水平偏向コイルより発生される水平偏向磁界を検出し、前記水平偏向磁界に対応する磁界検出信号を発生する水平偏向磁界検出手段と、
往路および復路の水平走査期間における映像信号を記憶するための記憶手段と、
映像信号を前記記憶手段へ書き込むための書き込みクロックを発生する書き込みクロック発生手段と、
前記記憶手段に記憶された映像信号を読み出すための読み出しクロックを発生するとともに前記磁界検出手段により発生された磁界検出信号に基づいて前記読み出しクロックの周波数を変調することにより、往路の水平走査期間に表示される映像と復路の水平走査期間に表示される映像との水平方向におけるずれを補正する読み出しクロック変調手段を備えたことを特徴とする映像表示装置。
【発明の詳細な説明】
【０００１】
【発明の属する技術分野】
本発明は、表示画面の水平方向において電子ビームを往復偏向するための往復偏向回路およびそれを備えた映像表示装置に関する。
【０００２】
【従来の技術】
陰極線管（以下、ＣＲＴという）ディスプレイ装置等の表示装置の分野では、高精細画像の表示に適した往復偏向装置の使用が提案されている。この往復偏向装置は、水平偏向コイルを用いて電子ビームを水平方向に往復偏向するための装置である。往復偏向装置では、水平偏向コイルが等価的にインダクタンス成分とそれに直列に接続された抵抗成分とを有しているため、垂直に一列に並ぶべき画素が往路の走査と復路の走査とで水平方向にずれる場合がある。
【０００３】
図１５は水平偏向コイルに流れる水平偏向電流の経時変化を説明するための図である。また、図１６は図１５に示す水平偏向電流の電流波形に対応した表示画面の状態を説明するための図である。なお、図１６において、水平方向をｘ座標と呼び、垂直方向をｙ座標と呼ぶ。
【０００４】
図１５（ａ）には、水平偏向電流の理想的な電流波形が示されている。図１５（ａ）に示す状態においては、電子ビームの往路の走査期間Ｔ１の長さと復路の走査期間Ｔ２の長さとが一致し、往路走査および復路走査で電流が０になる時点ｔ１，ｔ２がそれぞれ走査期間Ｔ１，Ｔ２の中間点と一致している。そのため、図１６（ａ）に示すように、垂直に一列に並ぶべき画素が往路走査および復路走査において同一ｘ座標上に表示される。例えば、往路走査および復路走査において、それぞれ、図１６（ａ）の画面水平方向の中央の画素ｅ１，ｅ２の表示位置が同一ｘ座標上にくる。
【０００５】
図１５（ｂ）には、水平偏向コイルの抵抗成分による歪みを有する電流波形が示されている。図１５（ｂ）に示す状態においては、往路の走査期間Ｔ３の長さと復路の走査期間Ｔ４の長さとが一致しているが、往路および復路の走査期間Ｔ３，Ｔ４の中間点ｔ４，ｔ６と水平偏向電流が０になる時点ｔ３，ｔ５とは一致しない。そのため、図１６（ｂ）に示すように、垂直に一列に並ぶべき画素が往路走査および復路走査においてジグザグにずれるジグザグ状縦線障害を生じる。例えば、往路走査および復路走査において、それぞれ、図１６（ｂ）の画面水平方向の中央の画素ｅ１，ｅ２の表示位置のｘ座標が異なる。
【０００６】
そこで、水平偏向電流の歪を低減してジグザグ状縦線障害を防止する双方向水平偏向システムが提案されている（特許文献１参照）。図１７は水平偏向電流の歪みを低減してジグザグ状縦線障害を防止するための構成を等価回路で示した回路図である。
【０００７】
図１７において、水平偏向コイル９１２および負抵抗９１８が互いに直列に接続されている。この負抵抗９１８は水平偏向コイル９１２の抵抗成分ＲＨを打ち消す。
【０００８】
図１８は図１７の等価回路の動作を示す波形図である。図１８（ａ）に示すように、入力端子９１４に印加される電圧Ｖ１は方形波である。水平偏向コイル９１２のインダクタンスＬＨが大きいので、出力端子９１６に流れる水平偏向電流は三角波になる。負抵抗９１８に発生する電圧ＶＲの波形は、図１８（ｂ）に示す三角波に対し９０°位相がずれている（図１８（ｃ））。この負抵抗９１８に発生する電圧ＶＲによって抵抗成分ＲＨに発生する電圧が打ち消されるため、図１７に示す等価回路に流れる水平偏向電流は、見かけ上抵抗による損失がなく歪まない。しかし、このような負抵抗９１８を用いて水平偏向コイル９１２に流れる電流の抵抗成分ＲＨによる歪みを防ぐと消費電力が大きくなる。
【０００９】
これに対し、小さな消費電力で上記のようなジグザグ状縦線障害を防止するための手段を備えた往復偏向式ＣＲＴディスプレイ装置が提案されている。このＣＲＴディスプレイ装置では、各画素に対応するデータを読み出すための読み出しクロックを変調し、読み出しクロックの基準となる水平同期信号の遅延量を変化させ、かつ、それに伴い変化する水平サイズを安定させることによってジグザグ状縦線障害を解消する縦線ジグザグ状障害自動消去手段が設けられている（特許文献２参照）。
【００１０】
【特許文献１】
特開平７−２０３２３８号公報
【特許文献２】
特開平８−１７２５４３号公報
【００１１】
【発明が解決しようとする課題】
しかしながら、上記の往復偏向式ＣＲＴディスプレイ装置においては、１往復走査期間についてＣＲＴの画面中央および画面両端の３つの位置でデータの読み出しのタイミングが制御されている。したがって、ＣＲＴの画面中央および画面両端を除く他の位置では、ジグザグ状縦線障害を解消することが困難となっている。
【００１２】
また、上記の往復偏向式ＣＲＴディスプレイ装置は、水平偏向コイルに流れる水平偏向電流を検出することにより画素の位置を決定し、これに基づき読み出しクロックの変調を行っている。水平偏向コイルにより偏向される電子ビームのＣＲＴ画面上での位置は、水平偏向コイルが発生する水平偏向磁界により決定される。このため、水平偏向電流を検出することにより読み出しクロックの変調を行う場合、水平偏向コイルの有する特性により水平偏向磁界に歪みが生じると、画素の位置ずれが発生する。なお、水平偏向コイルの有する特性としては、一般に水平偏向コイルに用いられるフェライト・コアのヒステリシス特性および温度特性などが挙げられる。
【００１３】
このように、従来の往復偏向式ＣＲＴディスプレイ装置では、十分にジグザグ状縦線障害を除去することが困難である。
【００１４】
本発明の目的は、偏向コイルの特性により偏向磁界が歪んだ場合でも十分にジグザグ状縦線障害を除去することが可能な往復偏向回路およびそれを備えた映像表示装置を提供することである。
【００１５】
【課題を解決するための手段】
第１の発明に係る往復偏向回路は、画面水平方向において電子ビームを往復偏向するための往復偏向回路であって、電子ビームを水平方向に往復偏向するための水平偏向磁界を発生する水平偏向コイルと、水平偏向コイルより発生される水平偏向磁界を検出し、水平偏向磁界に対応する磁界検出信号を発生する水平偏向磁界検出手段と、往路および復路の水平走査期間における映像信号を記憶するための記憶手段と、映像信号を記憶手段へ書き込むための書き込みクロックを発生する書き込みクロック発生手段と、記憶手段に記憶された映像信号を読み出すための読み出しクロックを発生するとともに磁界検出手段により発生された磁界検出信号に基づいて読み出しクロックの周波数を変調することにより、往路の水平走査期間に表示される映像と復路の水平走査期間に表示される映像との水平方向におけるずれを補正する読み出しクロック変調手段を備えたものである。
【００１６】
第１の発明に係る往復偏向回路においては、水平偏向コイルにより電子ビームを水平方向に往復偏向するための水平偏向磁界が発生され、水平偏向磁界検出手段により発生される水平偏向磁界が検出され、水平偏向磁界に対応する磁界検出信号が発生される。また、書き込みクロック発生手段により映像信号を記憶手段へ書き込むための書き込みクロックが発生され、記憶手段により往路および復路の水平走査期間における映像信号が記憶される。読み出しクロック変調手段においては、記憶手段に記憶された映像信号を読み出すための読み出しクロックが発生されるとともに、磁界検出手段により発生された磁界検出信号に基づいて読み出しクロックの周波数が変調され、往路の水平走査期間に表示される映像と復路の水平走査期間に表示される映像との水平方向におけるずれが補正される。
【００１７】
これにより、水平偏向コイルの特性により水平偏向磁界が歪んだ場合でも、水平偏向コイルの特性による影響を受けない映像を得ることができる。また、映像のいかなる箇所においても十分にジグザグ状縦線障害を除去することが可能となる。
【００１８】
読み出しクロック変調手段は、磁界検出手段により発生された磁界検出信号に基づいて往路および復路の水平走査期間のうち一方の水平走査期間における読み出しクロックの周波数を変調してもよい。
【００１９】
この場合、記憶手段に記憶された往路および復路の水平走査期間における映像信号が、往路および復路の水平走査期間のうち一方の水平走査期間において周波数が変調された読み出しクロックにより読み出される。
【００２０】
これにより、往路および復路の水平走査期間のうち一方の水平走査期間における読み出しクロックのみを変調することで、一方の水平走査期間における映像の水平方向の表示位置を他方の水平走査期間における映像の水平方向の表示位置へ簡単に一致させることができる。
【００２１】
読み出しクロック変調手段は、往路および復路の水平走査期間のうち一方の水平走査期間における磁界検出信号を往路の水平走査期間と復路の水平走査期間との切り替わり時点を基準に時間軸上で反転する反転手段と、往路および復路の水平走査期間のうち他方の水平走査期間における磁界検出信号と反転手段により得られた磁界検出信号との差分を検出する差分検出手段と、差分検出手段により算出される差分が小さくなるように、往路および復路の水平走査期間のうち一方の水平走査期間において読み出しクロックの周波数を変調する周波数変調手段とを含んでもよい。
【００２２】
この場合、読み出しクロック変調手段において、反転手段により往路および復路の水平走査期間のうち一方の水平走査期間における磁界検出信号が往路の水平走査期間と復路の水平走査期間との切り替わり時点を基準に時間軸上で反転され、差分検出手段により他方の水平走査期間における磁界検出信号と反転手段により得られた磁界検出信号との差分が検出される。そして、周波数変調手段により往路および復路の水平走査期間のうち一方の水平走査期間における読み出しクロックの周波数が、差分検出手段により算出される差分が小さくなるように変調される。
【００２３】
これにより、往路の水平走査期間における映像の水平方向の表示位置を復路の水平走査期間における映像の水平方向の表示位置へ正確に一致させることができる。
【００２４】
周波数変調手段は、差分検出手段により算出される差分に基づいて往路および復路の水平走査期間のうち一方の水平走査期間において往路の水平走査期間と復路の水平走査期間との切り替わり時点から順次変調波形を生成する変調波形生成手段と、変調波形生成手段により生成される変調波形に基づいて変化する周波数を有する読み出しクロックを発生するクロック発生手段とを含んでもよい。
【００２５】
この場合、周波数変調手段においては、変調波形生成手段により往路および復路の水平走査期間のうち一方の水平走査期間において往路の水平走査期間と復路の水平走査期間との切り替わり時点から、差分検出手段により算出される差分に基づく順次変調波形が生成される。そして、クロック発生手段により変調波形生成手段が生成する変調波形に基づく変化を有する読み出しクロックが発生される。
【００２６】
これにより、往路の水平走査期間における映像の水平方向の表示位置を復路の水平走査期間における映像の水平方向の表示位置へより正確に一致させることができる。
【００２７】
クロック発生手段は、サイン波形を発生するサイン波発生手段と、変調波形生成手段により生成される変調波形に基づいてサイン波形の周波数を変調することにより変調された読み出しクロックを発生するサイン波形変調手段とを含んでもよい。
【００２８】
この場合、クロック発生手段において、サイン波形変調手段によりサイン波形が発生される。そして、サイン波形変調手段により変調波形に基づいてサイン波形の周波数を変調することにより変調された読み出しクロックが発生される。これにより、特殊な波形整形手段を必要とせず、サイン波形変調手段の発生するサイン波形に基づいて簡単な構成で読み出しクロックの変調を行うことができる。
【００２９】
周波数変調手段は、往路の水平走査期間における読み出しクロックの周波数の平均と復路の水平走査期間における読み出しクロックの周波数の平均とが等しくなるように水平ブランキング期間において変調波形生成手段により生成される変調波形を補正する変調波形補正手段をさらに含んでもよい。
【００３０】
この場合、変調波形補正手段により、往路の水平走査期間における読み出しクロックの周波数の平均と復路の水平走査期間における読み出しクロックの周波数の平均とが等しくなるように水平ブランキング期間において変調波形が補正される。
【００３１】
これにより、サイン波形変調手段により発生されるサイン波形が往路および復路の水平走査期間毎に不連続とならないようにサイン波形の周波数を調整できるので、安定した読み出しクロックの変調が実現される。
【００３２】
読み出しクロック変調手段は、往路の水平走査期間に表示される映像と復路の水平走査期間に表示される映像との水平方向におけるずれが収束したか否かを判定する収束判定手段を含み、変調波形生成手段は、収束判定手段によりずれが収束したと判定された場合に変調波形の更新を終了してもよい。
【００３３】
この場合、読み出しクロック変調手段において、収束判定手段により往路の水平走査期間に表示される映像と復路の水平走査期間に表示される映像との水平方向におけるずれが収束したか否かが判定され、ずれが収束したと判定された場合に変調波形生成手段による変調波形の更新が終了される。これにより、省電力化が実現される。
【００３４】
収束判定手段は、往路および復路の水平走査期間のうち一方の水平走査期間における磁界検出信号を順に取り込み、取り込み順と逆の順に出力する順序反転手段と、往路および復路の水平走査期間のうち他方の水平走査期間における磁界検出信号と順序反転手段から出力される磁界検出信号との差分を累積加算する累積加算手段と、累積加算手段により得られる累積加算値が極小値となった場合にずれが収束したと判定する判定手段とを含んでもよい。
【００３５】
この場合、収束判定手段において、順序反転手段により往路および復路の水平走査期間のうち一方の水平走査期間における磁界検出信号が順に取り込まれ、取り込み順と逆の順に出力される。そして、累積加算手段により往路および復路の水平走査期間のうち他方の水平走査期間における磁界検出信号と順序反転手段から出力される磁界検出信号との差分が累積加算される。累積加算値が極小値となった場合、判定手段によりずれが収束したと判定される。これにより、累積加算値の極小値に基づいて往路の水平走査期間に表示される映像と復路の水平走査期間に表示される映像との水平方向におけるずれが収束したか否かが判定されるので、ずれの収束についての判定が容易となる。
【００３６】
第２の発明に係る映像表示装置は、画面水平方向において電子ビームを往復偏向するための往復偏向回路と、往復偏向回路により往復偏向された電子ビームに基づいて映像を表示する映像表示手段とを備え、往復偏向回路は、電子ビームを水平方向に往復偏向するための水平偏向磁界を発生する水平偏向コイルと、水平偏向コイルより発生される水平偏向磁界を検出し、水平偏向磁界に対応する磁界検出信号を発生する水平偏向磁界検出手段と、往路および復路の水平走査期間における映像信号を記憶するための記憶手段と、映像信号を記憶手段へ書き込むための書き込みクロックを発生する書き込みクロック発生手段と、記憶手段に記憶された映像信号を読み出すための読み出しクロックを発生するとともに磁界検出手段により発生された磁界検出信号に基づいて読み出しクロックの周波数を変調することにより、往路の水平走査期間に表示される映像と復路の水平走査期間に表示される映像との水平方向におけるずれを補正するものである。
【００３７】
第２の発明に係る映像表示装置においては、往復偏向回路により画面水平方向において電子ビームが往復偏向され、映像表示手段により往復偏向回路により往復偏向された電子ビームに基づいて映像が表示される。
【００３８】
往復偏向回路においては、水平偏向コイルにより電子ビームを水平方向に往復偏向するための水平偏向磁界が発生され、水平偏向磁界検出手段により発生される水平偏向磁界が検出され、水平偏向磁界に対応する磁界検出信号が発生される。また、書き込みクロック発生手段により映像信号を記憶手段へ書き込むための書き込みクロックが発生され、記憶手段により往路および復路の水平走査期間における映像信号が記憶される。読み出しクロック変調手段においては、記憶手段に記憶された映像信号を読み出すための読み出しクロックが発生されるとともに、磁界検出手段により発生された磁界検出信号に基づいて読み出しクロックの周波数が変調され、往路の水平走査期間に表示される映像と復路の水平走査期間に表示される映像との水平方向におけるずれが補正される。
【００３９】
これにより、水平偏向コイルの特性により水平偏向磁界が歪んだ場合でも、水平偏向コイルの特性による影響を受けない映像を得ることができる。また、映像のいかなる箇所においても十分にジグザグ状縦線障害を除去することが可能となる。
【００４０】
【発明の実施の形態】
以下、本実施の形態に係る往復偏向回路およびそれを備えた映像表示装置について図１〜図１４に基づき説明する。
【００４１】
図１は、本発明の一実施の形態に係る往復偏向回路を備える映像表示装置の構成の一部を示すブロック図である。
【００４２】
図１において、本実施の形態に係る映像表示装置１００は、入力端子１０１，１０２，１０３、アナログ−デジタル（以下、Ａ／Ｄと略記する。）コンバータ１、映像用ラインメモリ２、デジタル−アナログ（以下、Ｄ／Ａと略記する。）コンバータ３、陰極線管（以下、ＣＲＴと略記する。）４、書き込みクロック発生回路５、水平偏向回路６、磁界検出回路７およびクロック変調回路８を備える。なお、水平偏向回路６は水平偏向コイル６０を有し、水平偏向コイル６０はＣＲＴ４に取り付けられている。
【００４３】
クロック変調回路８は、デジタル・タイミング・オシレータ（以下、ＤＴＯと略記する。）８０、Ａ／Ｄコンバータ８１、往復偏向誤差検出回路８２、クロック変調波形生成回路８３および収束判定回路２８を備える。ＤＴＯ８０は、サイン波形発生回路８４、Ｄ／Ａコンバータ８５、ローパスフィルタ（以下、ＬＰＦと略記する。）８６および逓倍器８７を備える。
【００４４】
入力端子１０１にはアナログの映像信号ＶＤ０が入力され、入力端子１０２，１０３には水平同期信号ＨＳが入力される。入力端子１０１に入力された映像信号ＶＤ０はＡ／Ｄコンバータ１に与えられ、入力端子１０２に入力された水平同期信号ＨＳは書き込みクロック発生回路５に与えられ、入力端子１０３に入力された水平同期信号ＨＳは水平偏向回路６に与えられる。
【００４５】
後述の書き込みクロック発生回路５より与えられる書き込みクロックＷＣＫに応答して、Ａ／Ｄコンバータ１は、映像信号ＶＤ０をＡ／Ｄ変換することによりデジタルの映像信号ＶＤ１を生成し、生成した映像信号ＶＤ１を映像用ラインメモリ２に与える。
【００４６】
映像用ラインメモリ２には、後述の書き込みクロック発生回路５より書き込みタイミングを示す書き込みクロックＷＣＫおよび往路走査期間と復路走査期間との切替タイミングを示す切替信号ＣＳが与えられ、後述のクロック変調回路８より読み出しのタイミングを示す読み出しクロックＲＣＫが与えられる。
【００４７】
映像用ラインメモリ２には、書き込みクロックＷＣＫに応答して映像信号ＶＤ１が書き込まれる。映像用ラインメモリ２に記憶される映像信号ＶＤ１は、読み出しクロックＲＣＫおよび切替信号ＣＳに応答して映像信号ＶＤ２として読み出され、Ｄ／Ａコンバータ３に与えられる。
【００４８】
映像用ラインメモリ２からの映像信号ＶＤ１の読み出し方法は、往路走査期間と復路走査期間とで異なる。例えば、映像用ラインメモリ２は、往路走査期間に映像信号ＶＤ１を書き込み順に読み出し、復路走査期間に映像信号ＶＤ１を書き込みと逆の順に読み出す。読み出し方法の切替は切替信号ＣＳの示す切替タイミングに基づいて行われる。
【００４９】
Ｄ／Ａコンバータ３には、映像用ラインメモリ２から、上記映像信号ＶＤ１の読み出し方法に基づき出力されるデジタルの映像信号ＶＤ２が与えられる。Ｄ／Ａコンバータ３は、後述のクロック変調回路８より与えられる読み出しクロックＲＣＫに応答して、映像信号ＶＤ２をＤ／Ａ変換することによりアナログの映像信号ＶＤ３を生成し、生成した映像信号ＶＤ３をＣＲＴ４に与える。
【００５０】
ＣＲＴ４においては、Ｄ／Ａコンバータ３より与えられる映像信号ＶＤ３および後述の水平偏向コイル６０が発生する水平偏向磁界ＡＨに基づいて映像の表示動作が行われる。
【００５１】
書き込みクロック発生回路５は、入力端子１０２より与えられた水平同期信号ＨＳに応答して、書き込みクロックＷＣＫおよび切替信号ＣＳを生成する。この書き込みクロック発生回路５は、生成した書き込みクロックＷＣＫを上述のＡ／Ｄコンバータ１および映像用ラインメモリ２に与え、生成した切替信号ＣＳを上述の映像用ラインメモリ２および後述の水平偏向回路６に与える。
【００５２】
水平偏向回路６には、入力端子１０３より水平同期信号ＨＳが与えられるとともに、書き込みクロック発生回路５より切替信号ＣＳが与えられる。水平偏向回路６の水平偏向コイル６０は、水平同期信号ＨＳおよび切替信号ＣＳに応答して水平方向に電子ビームを往復偏向させるための水平偏向磁界ＡＨを発生する。
【００５３】
磁界検出回路７は、水平偏向コイル６０より発生される水平偏向磁界ＡＨを検出する。磁界検出回路７は検出した水平偏向磁界ＡＨに基づいてアナログの磁界検出信号ＧＨを生成する。生成された磁界検出信号ＧＨはクロック変調回路８に与えられる。
【００５４】
クロック変調回路８において、アナログの磁界検出信号ＧＨはＡ／Ｄコンバータ８１に与えられる。Ａ／Ｄコンバータ８１は、後述のＤＴＯ８０より与えられる読み出しクロックＲＣＫに応答して磁界検出信号ＧＨをＡ／Ｄ変換し、Ａ／Ｄ変換により得られるデジタルの磁界検出信号ＧＨＤを往復偏向誤差検出回路８２および収束判定回路２８に与える。
【００５５】
往復偏向誤差検出回路８２においては、復路走査期間の磁界検出信号ＧＨＤに対して時間軸上で反転された往路走査期間の磁界検出信号ＧＨＤが比較される。これにより、復路走査期間の磁界検出信号ＧＨＤと反転された往路走査期間の磁界検出信号ＧＨＤとの間で生じるずれが、往復偏向誤差として検出される。往復偏向誤差検出回路８２は、検出した往復偏向誤差を偏向誤差信号ＧＰとしてクロック変調波形生成回路８３に与える。
【００５６】
収束判定回路２８においては、磁界検出信号ＧＨＤに基づいて後述のクロック変調補正により往復偏向誤差が収束したか否かを示す収束判別信号ＴＥが生成される。その後、収束判定回路２８は、生成した収束判別信号ＴＥを後述のクロック変調波形生成回路８３に与える。
【００５７】
クロック変調波形生成回路８３は、与えられた偏向誤差信号ＧＰおよび収束判別信号ＴＥに基づいて往復偏向誤差を補正するためのクロック変調波形生成信号ＣＫＨを生成し、生成したクロック変調波形生成信号ＣＫＨをＤＴＯ８０に与える。
【００５８】
ＤＴＯ８０はクロック変調波形生成信号ＣＫＨに基づいて読み出しクロックＲＣＫを生成する。ＤＴＯ８０により生成された読み出しクロックＲＣＫは、Ａ／Ｄコンバータ８１、映像用ラインメモリ２およびＤ／Ａコンバータ３に与えられる。
【００５９】
ＤＴＯ８０において、クロック変調波形生成回路８３より与えられるクロック変調波形生成信号ＣＫＨはサイン波形発生回路８４に与えられる。
【００６０】
サイン波形発生回路８４は、予め所定のサイン波形を形成するデジタル信号を発生しており、クロック変調波形生成信号ＣＫＨに基づいてデジタル信号の変調処理を行う。これにより、復路走査期間において変調処理のなされたデジタルのサイン波形信号が生成される。そして、生成されたデジタルのサイン波形信号はＤ／Ａコンバータ８５に与えられる。
【００６１】
Ｄ／Ａコンバータ８５においては、与えられたサイン波形信号がＤ／Ａ変換され、Ｄ／Ａ変換により得られたアナログのサイン波形信号ＳＨがＬＰＦ８６に与えられる。ＬＰＦ８６においては、与えられるサイン波形信号ＳＨの積分処理が行われ、サイン波形信号ＳＨの高周波成分が取り除かれる。高周波成分が取り除かれたサイン波形信号ＳＨは、ＬＰＦ８６から逓倍器８７に与えられる。
【００６２】
逓倍器８７によりサイン波形信号ＳＨの逓倍処理が行われ、生成されるサイン波形信号が読み出しクロックＲＣＫとしてＡ／Ｄコンバータ８１、映像用ラインメモリ２およびＤ／Ａコンバータ３に与えられる。
【００６３】
以上、入力端子１０１，１０２，１０３、Ａ／Ｄコンバータ１、映像用ラインメモリ２、Ｄ／Ａコンバータ３、書き込みクロック発生回路５、水平偏向回路６、磁界検出回路７およびクロック変調回路８が、本実施の形態に係る往復偏向回路を形成する。
【００６４】
ところで、往復偏向回路を備える映像表示装置においては、水平偏向コイルにより電子ビームが水平かつ双方向に偏向される。水平偏向コイルは等価的にインダクタンス成分および抵抗成分を有するため、電子ビームの往復偏向時に垂直にに一列に並ぶべき画素が往路走査期間と復路走査期間との間で水平方向にずれる場合がある（以下、このずれの発生による映像の乱れをジグザグ状縦線障害と呼ぶ。）。
【００６５】
そこで、本実施の形態に係る映像表示装置１００においては、往復偏向回路が備えるクロック変調回路８から出力される読み出しクロックＲＣＫの変調により垂直に一列に並ぶべき画素の位置調整が行われる。以下、読み出しクロックＲＣＫの変調に基づく画素の位置調整（映像の補正）をクロック変調補正と呼ぶ。
【００６６】
図２は、本実施の形態に係るクロック変調補正の基本思想を説明するための図である。以下の説明において、往復切替タイミングとは、往路走査期間から復路走査期間への切替時または復路走査期間から往路走査期間への切替時に電子ビームの偏向方向を切替える場合の理想的な切替タイミングを示すものである。また、水平偏向電流とは、電子ビームの往復偏向時に水平偏向コイルを流れる電流をいう。
【００６７】
図２（ａ）は往路走査期間Ｔおよび復路走査期間Ｒに水平偏向コイルを流れる理想的な水平偏向電流Ｐ１を示し、図２（ｂ）は図２（ａ）に示す復路走査期間Ｒの水平偏向電流Ｐ１が往復切替タイミングＴｉを基準に時間軸上で反転された様子を示している。なお、図２（ａ），（ｂ）において、縦軸は電流値を示し、横軸は時間を示す。
【００６８】
図２（ａ）に示される復路走査期間Ｒの水平偏向電流Ｐ１が往復切替タイミングＴｉを基準に時間軸上で反転された場合、往路走査期間Ｔおよび復路走査期間Ｒにおける水平偏向電流Ｐ１は図２（ｂ）に示すように完全に一致する。このような理想的な水平偏向電流Ｐ１によれば、ジグザグ状縦線障害は発生しない。これは、往路走査期間Ｔと復路走査期間Ｒとで電子ビームのＣＲＴ画面上の位置が水平方向において一致するためである。
【００６９】
図２（ｃ）は往路走査期間Ｔおよび復路走査期間Ｒにおいて水平偏向コイルを流れる実際の水平偏向電流Ｐ２を示し、図２（ｄ）は図２（ｃ）に示す水平偏向電流Ｐ２が往復切替タイミングＴｉを基準に時間軸上で反転された様子を示している。なお、図２（ｃ），（ｄ）において、縦軸は電流値を示し、横軸は時間を示す。
【００７０】
図２（ｃ）には、実際の水平偏向電流Ｐ２とともに理想的な水平偏向電流Ｐ１が破線により示されている。実際の水平偏向電流Ｐ２と理想的な水平偏向電流Ｐ１とを比較すると実際の水平偏向電流Ｐ２は理想的な水平偏向電流Ｐ１に対してずれている。これは、水平偏向コイルが有する抵抗成分の影響によるものである。
【００７１】
図２（ｄ）に示されるように、復路走査期間Ｒの水平偏向電流Ｐ２が往復切替タイミングＴｉを基準に時間軸上で反転された場合、往路走査期間Ｔの水平偏向電流Ｐ２と復路走査期間Ｒの水平偏向電流Ｐ２との間では互いにずれが生じている。このように、歪んだ水平偏向電流Ｐ２が水平偏向コイルに流れると、ジグザグ状縦線障害が発生する。
【００７２】
ここで、図１７に示す従来の往復偏向回路においては、ジグザグ状縦線障害を除去するために水平偏向コイルの抵抗成分を打ち消す負抵抗成分を設けている。この場合、歪んだ水平偏向電流Ｐ２が補正され、図２（ａ）に示す理想的な水平偏向電流Ｐ１が得られる。
【００７３】
しかしながら、理想的な水平偏向電流Ｐ１が水平偏向コイルに流れた場合であっても、水平偏向コイルに用いられているフェライト・コアのヒステリシス特性または温度特性等に起因して上述のジグザグ状縦線障害が生じる場合がある。これは、水平偏向コイルに理想的な水平偏向電流が流れることにより発生する水平偏向磁界が、フェライト・コアのヒステリシス特性または温度特性等により歪んでしまう場合があるからである。
【００７４】
したがって、本実施の形態に係る往復偏向回路においては、歪んだ水平偏向電流Ｐ２の影響および水平偏向コイル６０に用いられているフェライト・コアのヒステリシス特性または温度特性等の影響によるジグザグ状縦線障害を防止するために、水平偏向コイル６０より発生する水平偏向磁界に基づいて、映像用ラインメモリ２に記憶される映像信号ＶＤ１の読み出しタイミングを制御するクロック変調補正が行われている。
【００７５】
図３および図４は、本実施の形態に係る映像表示装置において行われるクロック変調補正を説明するための図である。以下、本実施の形態に係る映像表示装置１００において行われるクロック変調補正の詳細について図１、図３および図４に基づき説明する。
【００７６】
クロック変調補正は、図１のクロック変調回路８が発生する読み出しクロックＲＣＫに基づき行われる。読み出しクロックＲＣＫは図１の水平偏向コイル６０が発生する水平偏向磁界ＡＨに基づいて生成される。
【００７７】
図１の磁界検出回路７は水平偏向コイル６０より発生される水平偏向磁界ＡＨを検出する。図３（ａ）に水平偏向コイル６０より発生される水平偏向磁界ＡＨの波形が示されている。なお、図３（ａ）においては、一点鎖線で往復切替タイミングＴｉが示され、破線で理想的な水平偏向磁界の波形が示されている。
【００７８】
図３（ａ）によれば、水平偏向磁界ＡＨは理想的な水平偏向磁界に対してずれを生じている。
【００７９】
磁界検出回路７は、検出した水平偏向磁界ＡＨに基づいてアナログの磁界検出信号ＧＨを生成し、生成した磁界検出信号ＧＨをクロック変調回路８のＡ／Ｄコンバータ８１に与える。Ａ／Ｄコンバータ８１は、磁界検出回路７より得られた磁界検出信号ＧＨのＡ／Ｄ変換を行う。このＡ／Ｄ変換は、後述のＤＴＯ８０より与えられる読み出しクロックＲＣＫに基づいて行われる。図３（ｂ）に、アナログの磁界検出信号ＧＨのＡ／Ｄ変換により得られたデジタルの磁界検出信号ＧＨＤが示されている。なお、図３（ｂ）において、縦軸はデジタルの磁界検出信号ＧＨＤのデータ値を示し、横軸は時間を示す。以下、磁界検出信号ＧＨＤのデータ値を磁界データ値と呼ぶ。
【００８０】
Ａ／Ｄコンバータ８１は、電子ビームの往路走査期間および復路走査期間毎に１５３６クロックでＡ／Ｄ変換を行う。ここで、クロックは、読み出しクロックＲＣＫのパルスを意味する。図３においては、クロックをｃｋで表している。
【００８１】
この場合、図３（ｂ）に示すように、１往復走査期間において、７６８クロックおよび２３０４クロックにおける磁界データ値Ｅｃ１，Ｅｃ２が、水平方向の映像中心が表示されるときに電子ビームに与えられる水平偏向磁界を示す。
【００８２】
続いて、Ａ／Ｄコンバータ８１によりＡ／Ｄ変換された磁界検出信号ＧＨＤは往復偏向誤差検出回路８２および収束判定回路２８に与えられる。往復偏向誤差検出回路８２においては、磁界検出信号ＧＨＤから１往復走査期間毎に１５点の磁界データＡ１〜Ａ１５が抽出される。１５点の磁界データＡ１〜Ａ１５は、図３（ｃ）の白丸に示すように１往復走査期間において等間隔のクロックに同期して抽出される。
【００８３】
往復偏向誤差検出回路８２は、往路走査期間の磁界データを往復切替タイミングＴｉを基準に時間軸上で反転させる。図３（ｃ）においては、反転された往路走査期間の磁界データが黒丸で示されている。そして、磁界データＡ９〜Ａ１５の磁界データ値と反転された往路走査期間の磁界データ値とが比較される。
【００８４】
例えば、図３（ｃ）の磁界データＡ１１は、磁界データＡ５が往復切替タイミングＴｉを基準に時間軸上で反転されることにより得られた磁界データＡｒ５と比較される。この比較により往復偏向誤差検出回路８２は、磁界データ値のずれ量γを得る。磁界データＡ９〜Ａ１５についても同様の比較動作が行われる。
【００８５】
その後、往復偏向誤差検出回路８２は、上記比較動作により得られた各磁界データ値のずれ量を偏向誤差信号ＧＰとして生成し、クロック変調波形生成回路８３に与える。往復偏向誤差検出回路８２の構成および動作の詳細については後述する。
【００８６】
以下の説明において、磁界データＡ１〜Ａ１５を抽出するためのクロックを順にクロックＰａ１〜Ｐａ１５とする。
【００８７】
図３（ｄ）には偏向誤差信号ＧＰの一例が示されており、１往復走査期間に経時的に変化する磁界データ値のずれ量が示されている。図３（ｄ）中のγは、図３（ｃ）に示される磁界データＡ１１と磁界データＡｒ５との間の磁界データ値のずれ量γを示す。なお、図３（ｄ）によれば、クロックＰａ１〜Ｐａ８において、磁界データ値のずれ量は０の値となっているが、これは往復偏向誤差検出回路８２が往路走査期間に上記比較動作を行わないためである。
【００８８】
収束判定回路２８においては、磁界検出信号ＧＨＤの記憶動作、遅延動作および記憶された磁界検出信号ＧＨＤ同士の比較動作等が行われる。そこで、収束判定回路２８は、後述のクロック変調波形生成回路８３の動作を制御する収束判別信号ＴＥを生成し、クロック変調波形生成回路８３に与える。収束判定回路２８の構成および動作の詳細については後述する。
【００８９】
クロック変調波形生成回路８３においては、与えられた偏向誤差信号ＧＰおよび収束判別信号ＴＥに基づいて図４（ａ）に示すようなクロック変調波形生成信号ＣＫＨが生成される。生成されたクロック変調波形信号ＣＫＨは、図１のサイン波形発生回路８４に与えられる。クロック変調波形生成回路８３の構成および動作の詳細については後述する。
【００９０】
サイン波形発生回路８４においては、予め定められたサイン波形信号が発生されている。サイン波形発生回路８４は、与えられたクロック変調波形信号ＣＫＨに基づいて、自己が発生するサイン波形信号に対し周波数の変調処理および補正処理を行う。その後、サイン波形発生回路８４は、変調処理および補正処理が行われたサイン波形信号をＤ／Ａコンバータ８５に与える。
【００９１】
Ｄ／Ａコンバータ８５においては、サイン波形発生回路８４より与えられたサイン波形信号のＤ／Ａ変換が行われる。これにより、Ｄ／Ａコンバータ８５はアナログのサイン波形信号ＳＨを生成する。図４（ｂ）に生成されたサイン波形信号ＳＨが示されている。
【００９２】
ここで、サイン波形信号ＳＨは、１往復走査期間ごとに無変調期間Ｈｎ１、変調期間Ｈｎ２および補正期間Ｈｎ３の３つの期間に分けられる。
【００９３】
無変調期間Ｈｎ１は、サイン波形発生回路８４が発生するサイン波形信号に対し何ら変調処理等が行われない期間をいい、往路走査期間に相当する。また、変調期間Ｈｎ２は、サイン波形発生回路８４が発生するサイン波形信号に対しクロック変調波形信号ＣＫＨに基づく変調処理が行われる期間をいい、復路走査期間に相当する。補正期間Ｈｎ３は、変調期間Ｈｎ２における変調処理により生じるサイン波形信号の不連続性を補正するための期間をいい、復路走査期間中のブランキング期間に相当する。
【００９４】
Ｄ／Ａコンバータ８５は、生成したサイン波形信号ＳＨをＬＰＦ８６に与える。それにより、サイン波形信号ＳＨは、ＬＰＦ８６により高周波成分が除去され、逓倍器８７に与えられる。
【００９５】
逓倍器８７においては、図４（ｃ）に示すように、図４（ｂ）のサイン波形信号ＳＨを１６逓倍することにより変調された読み出しクロックＲＣＫが生成される。逓倍器８７は、生成された読み出しクロックＲＣＫを上述のように図１の映像用ラインメモリ２、Ｄ／Ａコンバータ３およびＤＴＯ８０内のＡ／Ｄコンバータ８１に与える。
【００９６】
変調された読み出しクロックＲＣＫに基づいて映像用ラインメモリ２、Ｄ／Ａコンバータ３およびＡ／Ｄコンバータ８１の動作が制御されることにより、往路走査期間と復路走査期間との間で発生する垂直に一列に並ぶべき画素のずれが解消され、ジグザグ状縦線障害が防止される。
【００９７】
次に、往復偏向誤差検出回路８２およびクロック変調波形生成回路８３の構成および動作の詳細について図５および図６に基づき説明する。図５は、図１の映像表示装置における往復偏向誤差検出回路およびクロック変調波形生成回路の構成を示すブロック図である。図６は、往復偏向誤差検出回路、収束判定回路およびクロック変調波形生成回路間での相互動作の詳細を説明するための図である。
【００９８】
往復偏向誤差検出回路８２は、垂直カウンタ２１、水平カウンタ２２、ホールドパルス発生回路２３、ホールド回路２４ａ〜２４ｏ、ノイズ除去回路２５ａ〜２５ｏおよび誤差検出回路２６ａ〜２６ｇを備える。また、クロック変調波形生成回路８３は、補正波形算出回路３１および不連続補正回路３２を備える。
【００９９】
往復偏向誤差検出回路８２において、垂直カウンタ２１には垂直同期信号ＶＳおよび水平同期信号ＨＳが与えられ、水平カウンタ２２には水平同期信号ＨＳおよび読み出しクロックＲＣＫが与えられる。
【０１００】
垂直カウンタ２１は、垂直同期信号ＶＳに応答してリセットされ、水平同期信号ＨＳのカウントを開始し、画面上の垂直方向の位置（走査線位置）を示す垂直位置信号ＶＣを生成する。生成された垂直位置信号ＶＣはホールドパルス発生回路２３に与えられる。
【０１０１】
水平カウンタ２２は水平同期信号ＨＳに応答してリセットされ、読み出しクロックＲＣＫのカウントを開始し、画面上の水平方向の位置（画素位置）を示す水平位置信号ＨＣを生成する。生成された水平位置信号ＨＣはホールドパルス発生回路２３に与えられる。
【０１０２】
ホールドパルス発生回路２３においては、クロック変調補正を行う期間の決定が行われる。ここで、ホールドパルス発生回路２３には、垂直位置設定信号ＧＡおよび水平位置設定信号Ｐｂ１〜Ｐｂ１５が与えられている。なお、垂直位置設定信号ＧＡは、ＣＲＴ画面上において、クロック変調補正の対象となる垂直方向の位置（１往復走査期間）を示し、本例では、ＣＲＴ画面上の垂直方向の中央付近を示す。また、水平位置設定信号Ｐｂ１〜Ｐｂ１５は、１往復走査期間内での１５個の画素に対応する１５点のクロックを示す。
【０１０３】
垂直位置設定信号ＧＡにより、クロック変調補正の対象となる１往復走査期間が決定される。また、水平位置設定信号Ｐｂ１〜Ｐｂ１５により、クロック変調補正の対象となる１往復走査期間中の１５点のクロックが決定される。
【０１０４】
ホールドパルス発生回路２３は、垂直位置信号ＶＣ、水平位置信号ＨＣ、垂直位置設定信号ＧＡおよび水平位置設定信号Ｐｂ１〜Ｐｂ１５に応答してホールドパルスＩＰ１〜ＩＰ１５を生成する。生成されたホールドパルスＩＰ１〜ＩＰ１５はホールド回路２４ａ〜２４ｏおよびノイズ除去回路２５ａ〜２５ｏに与えられる。
【０１０５】
具体的には、ホールドパルス発生回路２３は垂直カウンタ２１から与えられる垂直位置信号ＶＣの値が、垂直位置設定信号ＧＡの値と一致し、かつ水平カウンタ２２より与えられる水平位置信号ＨＣの値が水平位置設定信号Ｐｂ１〜Ｐｂ１５とそれぞれ一致したときにホールドパルスＩＰ１〜ＩＰ１５をそれぞれ生成し、ホールド回路２４ａ〜２４ｏおよびノイズ除去回路２５ａ〜２５ｏに与える。
【０１０６】
これにより、クロック変調補正の対象となる１往復走査期間およびその１往復走査期間に含まれる１５点のクロックのタイミングが決定される。
【０１０７】
ホールド回路２４ａ〜２４ｏには、Ａ／Ｄコンバータ８１より磁界検出信号ＧＨＤが与えられるとともにホールドパルス発生回路２３よりホールドパルスＩＰ１〜ＩＰ１５が与えられる。ホールド回路２４ａ〜２４ｏは、ホールドパルスＩＰ１〜ＩＰ１５に応答して磁界検出信号ＧＨＤを保持する。
【０１０８】
例えば、ホールド回路２４ａは、ホールドパルスＩＰ１に応答して、磁界検出信号ＧＨＤにおけるクロックＰａ１時の磁界データ値を磁界データＡ１として保持する。そして、保持した磁界データＡ１をノイズ除去回路２５ａに与える。ホールド回路２４ｂ〜２４ｏは、ホールド回路２４ａと同様の動作によりそれぞれ磁界データＡ２〜Ａ１５を保持する。
【０１０９】
ノイズ除去回路２５ａ〜２５ｏにおいては、ホールド回路２４ａ〜２４ｏより磁界データＡ１〜Ａ１５がそれぞれ与えられるとともにホールドパルス発生回路２３よりホールドパルスＩＰ１〜ＩＰ１５が与えられる。ノイズ除去回路２５ａ〜２５ｏは、それぞれ磁界データＡ１〜Ａ１５のノイズ除去を行う。
【０１１０】
例えば、ノイズ除去回路２５ａは、ホールドパルス発生回路２３より与えられるホールドパルスＩＰ１に応答して、磁界データＡ１のノイズ除去動作を行い、磁界データＡＮ１を生成する。ノイズ除去回路２５ｂ〜２５ｏは、ノイズ除去回路２５ａと同様の動作によりそれぞれ磁界データＡＮ２〜ＡＮ１５を生成する。
【０１１１】
磁界データＡＮ９〜ＡＮ１５は、それぞれ誤差検出回路２６ａ〜２６ｇに与えられる。また、磁界データＡＮ１〜ＡＮ７は、それぞれ誤差検出回路２６ｇ〜２６ａに与えられる。
【０１１２】
本実施の形態において、ノイズ除去回路２５ａ〜２５ｏは、データの平均値を求めることによりノイズ除去を行うノイズ除去回路であってもよく、また、巡回係数を任意に設定するリカーシブルフィルタを用いたノイズ除去回路であってもよい。
【０１１３】
誤差検出回路２６ａ〜２６ｇの各々には、磁界データＡＮ１〜ＡＮ１５のうちの２つが与えられる。誤差検出回路２６ａ〜２６ｇの各々は与えられた２つの磁界データを比較する。この比較動作は、図６（ａ）に示すように各クロックＰａ９〜Ｐａ１５のタイミングで行われる。磁界データＡＮ９〜ＡＮ１５が往復切替タイミングＴｉを基準に時間軸上で反転された磁界データＡＮ１〜ＡＮ７とそれぞれ比較され、比較により得られる差分値が差分データＥ１〜Ｅ７として生成される。差分データＥ１〜Ｅ７は上述の偏向誤差信号ＧＰに相当する。
【０１１４】
なお、図３（ｃ）では、理解を容易にするために、磁界データ値の比較を磁界データＡ１〜Ａ１５に基づいて行うと説明したが、厳密には、ノイズ除去がなされた磁界データＡＮ１〜ＡＮ１５に基づき行う。差分データＥ１〜Ｅ７はクロック変調波形生成回路８３に与えられる。
【０１１５】
差分データＥ１〜Ｅ７の生成方法について具体例を説明する。例えば、誤差検出回路２６ａは、磁界データＡＮ９から磁界データＡＮ７を減算することにより、差分データＥ１を生成し、クロック変調波形生成回路８３に与える。誤差検出回路２６ｂ〜２６ｇは、同様にして、それぞれ差分データＥ２〜Ｅ７を生成し、クロック変調波形生成回路８３に与える。
【０１１６】
本実施の形態において、差分データＥ１〜Ｅ７は以下の式で表すことができる。
【０１１７】
Ｅｎ＝ＡＮ（ｎ＋８）−ＡＮ（８−ｎ）    ・・・（１）
上記式（１）において、ｎは１〜７のうちの任意の整数である。この差分データＥ１〜Ｅ７の一例が、図６（ｂ）に示されている。
【０１１８】
続いて、差分データＥ１〜Ｅ７が与えられたクロック変調波形生成回路８３の動作について説明する。
【０１１９】
クロック変調波形生成回路８３の補正波形算出回路３１には、往復偏向誤差検出回路８２より差分データＥ１〜Ｅ７が与えられ、収束判定回路２８より収束判別信号ＴＥが与えられるとともに、水平位置信号ＨＣおよび読み出しクロックＲＣＫが与えられている。
【０１２０】
補正波形算出回路３１は、上記の差分データＥ１〜Ｅ７、収束判別信号ＴＥ、水平位置信号ＨＣおよび読み出しクロックＲＣＫに基づいてクロック変調信号ＳＵを生成し、不連続補正回路３２に与える。
【０１２１】
補正波形算出回路３１に与えられる水平位置信号ＨＣおよび読み出しクロックＲＣＫは、クロック変調補正の対象となる１往復走査期間およびその１往復走査期間に含まれる１５点のクロックを決定するために用いられる。
【０１２２】
例えば、クロック変調波形生成回路８３の補正波形算出回路３１に上述の差分データＥ１が与えられた場合、補正波形算出回路３１は与えられた差分データＥ１のデータ値が正負いずれの値をとるかおよびデータ値の大きさ（絶対値）が予め定められたしきい値ＴＨＲ以下であるか否かを判別する。
【０１２３】
ここで、クロック変調補正の変調率を示すクロック変調波形において、クロックＰａ８〜Ｐａ１５の各期間での傾きをそれぞれＡＧＡ１〜ＡＧＡ７とする。なお、傾きＡＧＡ１〜ＡＧＡ７の初期値は０である。
【０１２４】
補正波形算出回路３１は、差分データＥ１の絶対値がしきい値ＴＨＲより大きく、正の値をとる場合に、クロックＰａ８〜Ｐａ９の期間でクロック変調波形の傾きＡＧＡ１に１を加算する。一方、補正波形算出回路３１は、差分データＥ１の絶対値がしきい値ＴＨＲより大きく、負の値をとる場合に、クロックＰａ８〜Ｐａ９の期間でクロック変調波形の傾きＡＧＡ１に−１を加算する。
【０１２５】
補正波形算出回路３１は、差分データＥ１の絶対値がしきい値ＴＨＲ以下である場合、クロックＰａ８〜Ｐａ９期間内におけるクロック変調波形の傾きの変更動作を行わない。
【０１２６】
図６（ｂ）の例では、差分データＥ１の絶対値がしきい値ＴＨＲ以下であるため、クロック変調波形の傾きの変更動作が行われない。
【０１２７】
同様に、補正波形算出回路３１は、差分データＥ２〜Ｅ７の絶対値がしきい値ＴＨＲより大きく、正の値をとる場合に、クロック変調波形の傾きＡＧＡ２〜ＡＧＡ７にそれぞれ１を加算し、差分データＥ２〜Ｅ７の絶対値がしきい値ＴＨＲより大きく、負の値をとる場合に、クロック変調波形の傾きＡＧＡ２〜ＡＧＡ７にそれぞれ−１を加算する。また、補正波形算出回路３１は、差分データＥ２〜Ｅ７の絶対値がしきい値ＴＨＲ以下である場合、クロックＰａ９からＰａ１５の各期間内におけるクロック変調波形の傾きの変更動作を行わない。
【０１２８】
この場合、図６（ｂ）の例では、差分データＥ２〜Ｅ６の絶対値は、しきい値ＴＨＲより大きく正の値をとるので、クロック波形の傾きＡＧＡ２〜ＡＧＡ６に１が加算される。また、差分データＥ７の絶対値は、しきい値ＴＨＲ以下であるため、クロック変調波形の傾きの変更動作が行われない。
【０１２９】
補正波形算出回路３１は、差分データＥ１〜Ｅ７に基づいてクロック変調信号ＳＵを生成し、不連続補正回路３２へ与える。なお、補正波形算出回路３１は、収束判定回路２８から与えられる収束判定信号ＴＥにより往復偏向誤差が収束したことが示された場合には、以後のクロック変調補正を行わない。
【０１３０】
不連続補正回路３２には、水平ブランキング期間の水平偏向磁界の位相を示すブランキング位相信号ＢＰおよび水平ブランキング期間の長さを示すブランキング幅信号ＢＷが与えられている。不連続補正回路３２は、ブランキング位相信号ＢＰおよびブランキング幅信号ＢＷに基づいて、水平ブランキング期間においてクロック変調信号ＳＵに補正パルスを重畳することにより読み出しクロックＲＣＫが水平走査期間ごとに不連続になることを防止する。これにより、クロックＰａ８〜Ｐａ１５の期間におけるクロック変調信号ＳＵの直流成分を０に補正する。
【０１３１】
換言すれば、クロック変調補正後であっても、１往復走査期間中の読み出しクロックＲＣＫにおけるクロック数は常に一定で、かつ読み出しクロックＲＣＫの波形は常に連続的でなくてはならない。このため不連続補正回路３２は、復路走査期間のクロック変調補正の変調率の平均が０となるように上記動作を行う。
【０１３２】
補正波形算出回路３１および不連続補正回路３２が上記の動作を繰り返し行い、収束判定回路２８が補正波形算出回路３１によるクロック変調波形の傾きの変更動作を制御することにより、図６（ｃ）に示すようなクロック変調波形生成信号ＣＫＨが得られる。往復走査期間におけるクロック変調波形生成信号ＣＫＨのデータ値の平均は０となっている。
【０１３３】
続いて、クロック変調補正による映像表示状態の変化について図７〜図９に基づき説明する。図７〜図９は、クロック変調補正時における映像表示状態の変化を説明するための模式図である。
【０１３４】
図７〜図９において、上段は往路走査期間の一水平走査線上の画素を示し、下段はその往路走査期間に続く復路走査期間の一水平走査線上の画素を示す。また、実線ＥＬは一水平走査線上の左端の画素を示し、実線ＷＬは一水平走査線上の右端の画素を示す。一点鎖線ＧＣは、ＣＲＴ画面上に表示される映像の中心である。太線により囲まれる範囲Ｙｆは、ＣＲＴ画面上に実際に表示される映像の範囲（有効映像領域）を示す。したがって、図７〜図９の範囲Ｙｆを超えた領域に位置する画素はブランキング期間における画素を示す。
【０１３５】
さらに、図７〜図９には、クロックＰａ０〜Ｐａ１６に応答して図１の映像用ラインメモリ２から読み出される映像信号ＶＤ２に基づいてＣＲＴ画面上に表示される画素Ｌ０〜Ｌ１６が実線で示されている。なお、クロックＰａ０，Ｐａ１６は、それぞれ１往復走査期間の始点および終点を示す。
【０１３６】
図７（ａ）は、クロック変調補正が行われていない場合の映像表示状態を示す模式図である。図７（ａ）においては、クロック変調補正が行われていない場合にクロックＰａ１〜Ｐａ１６に応答して表示される画素Ｌ１〜Ｌ１６が示されている。図７（ａ）に示すように、往路走査期間の画素Ｌ１〜Ｌ７の水平方向の位置と復路走査期間の画素Ｌ９〜Ｌ１５の水平方向の位置との間でそれぞれずれが生じている。この場合、水平方向の全体においてジグザグ状縦線障害が生じる。
【０１３７】
図７（ｂ）は、クロックＰａ８〜Ｐａ９の期間についてクロック変調補正が行われた場合の映像表示状態を示す模式図である。この場合、クロック変調補正により往路走査期間の画素Ｌ７の水平方向の位置と復路走査期間の画素Ｌ９の水平方向の位置とが一致する。この画素Ｌ９の表示位置の変化は、上述のように差分データＥ１に基づいてクロックＰａ８〜Ｐａ９の期間でＤＴＯ８０により読み出しクロックＲＣＫの周波数が変調されることにより生じる。このとき、復路走査期間の画素Ｌ１０〜Ｌ１６の水平方向の位置は、画素Ｌ９に追従して変化するため、往路走査期間の画素Ｌ０〜Ｌ６の水平方向の位置とは一致しない。クロックＰａ８〜Ｐａ９の期間についてのクロック変調補正後、クロックＰａ９〜Ｐａ１０の期間についてのクロック変調補正が行われる。
【０１３８】
図７（ｃ）は、クロックＰａ９〜Ｐａ１０の期間についてクロック変調補正が行われた場合の映像表示状態を模式図である。この場合、クロック変調補正により往路走査期間の画素Ｌ６の水平方向の位置と復路走査期間の画素Ｌ１０の水平方向の位置とが一致する。この画素Ｌ１０の表示位置の変化は、上述のように差分データＥ２に基づいてクロックＰａ９〜Ｐａ１０の期間でＤＴＯ８０により読み出しクロックＲＣＫの周波数が変調されることにより生じる。このとき、復路走査期間の画素Ｌ１１〜Ｌ１６の水平方向の位置は、画素Ｌ１０に追従して変化するため、往路走査期間の画素Ｌ０〜Ｌ５の水平方向の位置とは一致しない。クロックＰａ９〜Ｐａ１０の期間についてのクロック変調補正後、クロックＰａ１０〜Ｐａ１１の期間についてのクロック変調補正が行われる。
【０１３９】
以上に示すクロック変調補正動作は、クロックＰａ１０〜Ｐａ１６の各期間についても同様に行われる。図８（ｄ）にクロックＰａ１０〜Ｐａ１１の期間についてのクロック変調補正後の映像表示状態が示され、図８（ｅ）にクロックＰａ１１〜Ｐａ１２の期間についてのクロック変調補正後の映像表示状態が示され、図８（ｆ）にクロックＰａ１２〜Ｐａ１３の期間についてのクロック変調補正後の映像表示状態が示されている。さらに、図９（ｇ）にクロックＰａ１３〜Ｐａ１４の期間についてのクロック変調補正後の映像表示状態が示され、図９（ｈ）にクロックＰａ１４〜Ｐａ１５の期間についてのクロック変調補正後の映像表示状態が示されている。
【０１４０】
最後に、クロックＰａ１５〜Ｐａ１６の期間についてもクロック変調補正が行われるが、この場合のクロック変調補正は次の往復走査期間に対する連続性を確保するためのものである。
【０１４１】
図９（ｉ）に、クロックＰａ１５〜Ｐａ１６の期間についてクロック変調補正が行われた場合の映像表示状態が示されている。図９（ｉ）に示すように、クロックＰａ１５〜Ｐａ１６の期間についてクロック変調補正が行われることにより、復路走査期間の最後の画素Ｌ１６の水平方向の位置と次の往路走査期間の最初の画素の水平方向の位置とが一致する。
【０１４２】
このようにして、往路走査期間と復路走査期間との間で垂直に一列に並ぶべき画素の水平方向の位置が完全に一致する。その結果、ジグザグ状縦線障害の発生が防止される。
【０１４３】
収束判定回路２８の構成および動作の詳細について図１０〜図１４に基づき説明する。
【０１４４】
図１０は、収束判定回路２８の構成の一例を示すブロック図であり、図１１および図１２は図１０の収束判定回路２８の構成の詳細を示す模式的回路図である。図１３および図１４は図１０の収束判定回路２８の各構成部において入力および生成される各種信号の一例を示す模式図である。なお、図１３および図１４において一点鎖線Ｔｉは正確に往路走査期間と復路走査期間とを切替えるための往復切替タイミングを示す。
【０１４５】
図１０に示すように、収束判定回路２８は、切替パルス発生回路２１０、アドレス信号生成回路２２０、磁界検出信号抽出回路２３０および磁界検出信号比較回路２４０により構成されている。
【０１４６】
図１１に示すように、切替パルス発生回路２１０は、水平カウンタ２１１、遅延回路２１２〜２１４、ＮＡＮＤゲート２１５、インバータ２１６およびセレクタ２１７を含む。また、アドレス信号生成回路２２０は、書き込みアドレス発生回路２２１，２２３および読み出しアドレス発生回路２２２，２２４を含む。書き込みアドレス発生回路２２１，２２３は、加算器２２１ａ，２２３ａ，セレクタ２２１ｂ，２２３ｂおよび遅延回路２２１ｃ，２２３ｃを含む。読み出しアドレス発生回路２２２，２２４は、加算器２２２ａ，２２４ａ、セレクタ２２２ｂ，２２４ｂおよび遅延回路２２２ｃ，２２４ｃを含む。
【０１４７】
図１２に示すように、磁界検出信号抽出回路２３０は、トレース期間メモリ２３１、リトレース期間メモリ２３２、セレクタ２３３および遅延回路２３４，２３５を含み、磁界検出信号比較回路２４０は、減算器２４１、リミッタ２４２および遅延回路２４３，２４４を含む。
【０１４８】
図１０の収束判定回路２８の切替パルス発生回路２１０に水平同期信号ＨＳおよび読み出しクロックＲＣＫが与えられ、磁界検出信号抽出回路２３０および磁界検出信号比較回路２４０に図１のＡ／Ｄコンバータ８１から磁界検出信号ＧＨＤが与えられる。
【０１４９】
図１１の切替パルス発生回路２１０において、水平カウンタ２１１は水平同期信号ＨＳおよび遅延信号ＤＥＬＡＹに応答して読み出しクロックＲＣＫをカウントする。これにより、切替パルス発生回路２１０は、往路走査期間および復路走査期間を識別するための往復識別信号ＫＴＲを生成する。図１３（ａ）に切替パルス発生回路２１０に与えられる水平同期信号ＨＳの波形の一例を示し、図１３（ｂ）に切替パルス発生回路２１０により生成される往復識別信号ＫＴＲの波形の一例を示す。往復識別信号ＫＴＲのハイレベルが往路走査期間に対応し、往路識別信号ＫＴＲのローレベルが往路走査期間に対応する。
【０１５０】
切替パルス発生回路２１０により生成された往復識別信号ＫＴＲはアドレス信号生成回路２２０に与えられる。この往復識別信号ＫＴＲは、図１に示される切替信号ＣＳと同じ波形を有する。
【０１５１】
図１１のアドレス信号生成回路２２０においては、書き込みアドレス発生回路２２１，２２３および読み出しアドレス発生回路２２２，２２４の各々に往復識別信号ＫＴＲが与えられる。
【０１５２】
書き込みアドレス発生回路２２１，２２３および読み出しアドレス発生回路２２２，２２４には、予めＣＲＴ画面上での画素の表示タイミングを示すパルス信号が与えられている。
【０１５３】
書き込みアドレス発生回路２２１は、往復識別信号ＫＴＲがハイレベルとなる往路走査期間においてパルス信号に応答して書き込みアドレス信号ＷＲＡを所定の開始アドレスＡＤＳ１から終了アドレスＡＤＥ１まで順にインクリメントし、磁界検出信号抽出回路２３０に与える。図１３（ｃ）に書き込みアドレス発生回路２２１により生成される書き込みアドレス信号ＷＲＡの一例を示す。
【０１５４】
読み出しアドレス発生回路２２２は、往復識別信号ＫＴＲがローレベルとなる復路走査期間において、パルス信号に応答して読み出しアドレス信号ＲＴＡを終了アドレスＡＤＥ１から開始アドレスＡＤＳ１まで順にデクリメントし、磁界検出信号抽出回路２３０に与える。図１３（ｄ）に読み出しアドレス発生回路２２２により生成される読み出しアドレス信号ＲＤＡの一例を示す。
【０１５５】
書き込みアドレス発生回路２２３は、往復識別信号ＫＴＲがローレベルとなる復路走査期間においてパルス信号に応答して書き込みアドレス信号ＷＲＢを所定の開始アドレスＡＤＳ２から所定の終了アドレスＡＤＥ２まで順にインクリメントし、磁界検出信号抽出回路２３０に与える。図１３（ｅ）に書き込みアドレス発生回路２２３により生成される書き込みアドレス信号ＷＲＢの一例を示す。
【０１５６】
読み出しアドレス発生回路２２４は、往復識別信号ＫＴＲがハイレベルとなる往路走査期間においてパルス信号に応答して読み出しアドレスを終了アドレスＡＤＥ２から開始アドレスＡＤＳ２まで順にデクリメントし、磁界検出信号抽出回路２３０に与える。図１３（ｆ）に読み出しアドレス発生回路２２４により生成される読み出しアドレス信号ＲＤＢの一例を示す。
【０１５７】
なお、図１３（ｃ）〜（ｆ）において、縦軸は、アドレスの値を示し、横軸は時間を示す。
【０１５８】
図１２の磁界検出信号抽出回路２３０においては、トレース期間メモリ２３１およびリトレース期間メモリ２３２の各々に遅延回路２５５を介して磁界検出信号ＧＨＤが与えられるとともに、トレース期間メモリ２３１に図１１のアドレス信号生成回路２２０から書き込みアドレス信号ＷＲＡおよび読み出しアドレス信号ＲＤＡが与えられ、リトレース期間メモリ２３２に図１１のアドレス信号生成回路２２０から書き込みアドレス信号ＷＲＢおよび読み出しアドレス信号ＲＤＢが与えられる。図１４（ｇ）に磁界検出信号ＧＨＤの一例を示す。
【０１５９】
トレース期間メモリ２３１においては、書き込みアドレス信号ＷＲＡおよび読み出しアドレス信号ＲＤＡに基づいて、往路走査期間の磁界検出信号ＧＨＤに対し、１水平走査期間分の遅延動作および往路タイミングＴｉを基準とした時間軸上での反転動作が行われる。この遅延動作および反転動作により往路走査期間遅延反転信号ＴＣが生成される。
【０１６０】
例えば、図１４（ｇ）に示される磁界検出信号ＧＨＤが図１２のトレース期間メモリ２３１に与えられた場合、トレース期間メモリ２３１において、往路走査期間における磁界検出信号ＧＨＤが１水平走査期間分遅延され、遅延された磁界検出信号ＧＨＤが往復切替タイミングＴｉを基準に時間軸上で反転される。これにより、図１４（ｈ）に示される往路走査期間遅延反転信号ＴＣが生成される。上記処理動作は、図１４（ｈ）において矢印ｈａで示されている。この処理動作を図面を用いて説明すると次のようになる。
【０１６１】
図１４（ｇ）の磁界検出信号ＧＨＤにおいて往路走査期間の始点となる磁界データａは、図１４（ｈ）の往路走査期間遅延反転信号ＴＣにおいて復路走査期間の終点として生成され、図１４（ｇ）の磁界検出信号ＧＨＤにおける往路走査期間の終点となる磁界データｂは図１４（ｈ）の往路走査期間遅延反転信号ＴＣにおいて復路走査期間の始点として生成される。
【０１６２】
リトレース期間メモリ２３２においては、書き込みアドレス信号ＷＲＢおよび読み出しアドレス信号ＲＤＢに基づいて復路走査期間の磁界検出信号ＧＨＤに対し、１水平走査期間分の遅延動作および往路タイミングＴｉを基準とした時間軸上での反転動作が行われる。この遅延動作および反転動作により復路走査期間遅延反転信号ＲＣが生成される。
【０１６３】
例えば、図１４（ｇ）に示される磁界検出信号ＧＨＤが図１２のリトレース期間メモリ２３２に与えられた場合、リトレース期間メモリ２３２において、復路走査期間における磁界検出信号ＧＨＤが１水平走査期間分遅延され、遅延された磁界検出信号ＧＨＤが往復切替タイミングＴｉを基準に時間軸上で反転される。これにより、図１４（ｉ）に示される復路走査期間反転信号ＲＣが生成される。上記処理動作は、図１４（ｉ）において矢印ｈｂで示されている。この処理動作を図面を用いて説明すると次のようになる。
【０１６４】
図１４（ｇ）の磁界検出信号ＧＨＤにおいて、復路走査期間の始点となる磁界データｃは図１４（ｉ）の復路走査期間遅延反転信号ＲＣにおいて復路走査期間の終点として生成され、図１４（ｇ）の磁界検出信号ＧＨＤにおける復路走査期間の終点となる磁界データｄは図１４（ｉ）の復路走査期間遅延反転信号ＲＣにおいて複路走査期間の始点として生成される。
【０１６５】
以上のように生成された往路走査期間遅延反転信号ＴＣおよび復路走査期間遅延反転信号ＲＣは、図１２のセレクタ２３３に与えられる。ここで、セレクタ２３３は、切替パルス発生回路２１０から与えられる往復識別信号ＫＴＲに基づいて往路走査期間遅延反転信号ＴＣおよび復路走査期間遅延反転信号ＲＣの出力を切替えることにより遅延反転信号ＴＧＨＤを生成する。生成された遅延反転信号ＴＧＨＤは、図１２の磁界検出信号比較回路２４０に与えられる。図１４（ｊ）にセレクタ２３３より出力される遅延反転信号ＴＧＨＤの波形の一例を示す。
【０１６６】
図１２の磁界検出信号比較回路２４０においては、減算器２４１に複数の遅延回路２５１，２５２，２５３により遅延された磁界検出信号ＧＨＤと磁界検出信号抽出回路２３０により生成された遅延反転信号ＴＧＨＤとが与えられる。減算器２４１は、磁界検出信号ＧＨＤに対する遅延反転信号ＴＧＨＤの減算処理および累積加算処理を行う。この減算処理および累積加算処理を図面を用いて説明すると次のようになる。
【０１６７】
例えば、図１４（ｇ）に示す磁界検出信号ＧＨＤと図１４（ｊ）に示す遅延反転信号ＴＧＨＤとが減算器２４１に与えられている場合、減算器２４１は画素ごとに磁界検出信号ＧＨＤから遅延反転信号ＴＧＨＤを減算するとともに減算値（磁界データの差分値）を累積加算する。これにより、磁界データの差分値の累積加算結果が収束差分データＴＥＯとして生成される。生成された収束差分データＴＥＯは、遅延回路２４３、リミッタ２４２および遅延回路２４４を介して収束判別信号ＴＥとして出力される。図１４（ｋ）に減算器２４１により生成される収束差分データＴＥＯの波形の一例を示す。
【０１６８】
このようにして収束判定回路２８により出力される収束判別信号ＴＥは、図１および図５のクロック変調波形生成回路８３に与えられる。
【０１６９】
クロック変調波形生成回路８３の補正波形算出回路３１は、収束判定回路２８から与えられる収束判別信号ＴＥが最小となった場合、それ以降クロック変調波形の変更動作を行わない。これにより、クロック変調波形生成回路８３の動作の安定化が図られる。
【０１７０】
本実施の形態に係る往復偏向回路においては、映像用ラインメモリ２に記憶される映像信号が往路走査期間において無変調の読み出しクロックＲＣＫに応答して読み出され、復路走査期間において変調された読み出しクロックＲＣＫに応答して読み出される。これにより、往路走査期間における映像信号に基づいて表示される画素の水平方向の位置と復路走査期間における映像信号に基づいて表示される画素の水平方向の位置とをＣＲＴ画面上で容易に一致させることができる。このように、本実施の形態に係る往復偏向回路によれば、偏向コイルの特性による偏向磁界に歪が生じる場合でも、十分にジグザグ状縦線障害を除去することが可能となる。
【０１７１】
また、往路走査期間と復路走査期間とで読み出しクロックＲＣＫが不連続とならないように不連続補正回路３２によりブランキング期間においてサイン波形の周波数が調整される。これにより、クロック変調補正動作による映像のずれが生じない。
【０１７２】
なお、本実施の形態に係る往復偏向回路においては、往路走査期間にクロック変調補正が行われず、復路走査期間にクロック変調補正が行われているが、復路走査期間にクロック変調補正を行い、往路走査期間にクロック変調補正を行ってもよい。あるいは、往路走査期間および復路走査期間の両方において共通のリニアリティ補正を行い、復路走査期間および往路走査期間の一方において別途クロック変調補正を加えてもよい。それにより、往路走査期間における画素の水平方向の位置と復路走査期間における画素の水平方向の位置とを容易に一致させることができる。
【０１７３】
また、クロック変調補正が行われるＣＲＴ画面上の垂直方向の位置は図５のホールドパルス発生回路２３に与えられる垂直位置設定信号ＧＡにより定められる。このように垂直位置設定信号ＧＡにより定められるＣＲＴ画面上の垂直方向の位置はＣＲＴ画面上の中央付近であってもよい。一般に往復偏向回路においては左右糸巻き歪（ＥＷ（イーストウエスト）歪）を補正するためにＥＷ補正回路が設けられている。ここで、垂直位置設定信号ＧＡにより定められるＣＲＴ画面上の垂直方向の位置がＣＲＴ画面上の中央付近である場合、上述のクロック変調補正がＥＷ補正回路によるＥＷ補正の影響を受けないので、より安定して精度の高いクロック変調補正が行われる。
【０１７４】
本実施の形態において、往路走査期間および復路走査期間は、１水平走査期間に相当し、１往復走査期間は２水平走査期間に相当する。
【０１７５】
以上の本実施の形態において、水平偏向コイル６０は水平偏向コイルに相当し、水平偏向磁界ＡＨは水平偏向磁界に相当し、磁界検出回路７は水平偏向磁界検出手段に相当する。
【０１７６】
また、映像信号ＶＤ０，ＶＤ１は映像信号に相当し、映像用ラインメモリ２は記憶手段に相当し、書き込みクロックＷＣＫは書き込みクロックに相当し、書き込みクロック発生回路５は書き込みクロック発生手段に相当し、読み出しクロックＲＣＫは読み出しクロックに相当する。
【０１７７】
さらに、磁界検出信号ＧＨは磁界検出信号に相当し、クロック変調回路８は読み出しクロック変調手段に相当し、往復切替タイミングＴｉは切り替わり時点に相当し、往復偏向誤差検出回路８２は反転手段および差分検出手段に相当し、ＤＴＯ８０およびクロック変調波形生成回路８３は周波数変調手段に相当する。
【０１７８】
また、ＤＴＯ８０は変調波形生成手段およびクロック発生手段に相当し、サイン波形発生回路８４はサイン波発生手段およびサイン波形変調手段に相当し、補正波形算出回路３１および不連続補正回路３２は変調波形補正手段に相当し、収束判定回路２８は収束判定手段に相当し、ＣＲＴ４は映像表示装置に相当する。
【０１７９】
【発明の効果】
本発明に係る往復偏向回路においては、水平偏向コイルにより電子ビームを水平方向に往復偏向するための水平偏向磁界が発生され、水平偏向磁界検出手段により発生される水平偏向磁界が検出され、水平偏向磁界に対応する磁界検出信号が発生される。また、書き込みクロック発生手段により映像信号を記憶手段へ書き込むための書き込みクロックが発生され、記憶手段により往路および復路の水平走査期間における映像信号が記憶される。読み出しクロック変調手段においては、記憶手段に記憶された映像信号を読み出すための読み出しクロックが発生されるとともに、磁界検出手段により発生された磁界検出信号に基づいて読み出しクロックの周波数が変調され、往路の水平走査期間に表示される映像と復路の水平走査期間に表示される映像との水平方向におけるずれが補正される。
【０１８０】
これにより、水平偏向コイルの特性により水平偏向磁界が歪んだ場合でも、水平偏向コイルの特性による影響を受けない映像を得ることができる。また、映像のいかなる箇所においても十分にジグザグ状縦線障害を除去することが可能となる。
【図面の簡単な説明】
【図１】本発明の一実施の形態に係る往復偏向回路を備える映像表示装置の構成の一部を示すブロック図
【図２】本実施の形態に係るクロック変調補正の基本思想を説明するための図
【図３】本実施の形態に係る映像表示装置において行われるクロック変調補正を説明するための図
【図４】本実施の形態に係る映像表示装置において行われるクロック変調補正を説明するための図
【図５】図１の映像表示装置おける往復偏向誤差検出回路およびクロック変調波形生成回路の構成を示すブロック図
【図６】往復偏向誤差検出回路、収束判定回路およびクロック変調波形生成回路間での相互動作の詳細を説明するための図
【図７】クロック変調補正時における映像表示状態の変化を説明するための模式図
【図８】クロック変調補正時における映像表示状態の変化を説明するための模式図
【図９】クロック変調補正時における映像表示状態の変化を説明するための模式図
【図１０】収束判定回路の構成の一例を示すブロック図
【図１１】図１０の収束判定回路の構成の詳細を示す模式的回路図
【図１２】図１０の収束判定回路の構成の詳細を示す模式的回路図
【図１３】図１０の収束判定回路の各構成部において入力および生成される各種信号の一例を示す模式図
【図１４】図１０の収束判定回路の各構成部において入力および生成される各種信号の一例を示す模式図
【図１５】水平偏向コイルに流れる水平偏向電流の経時変化を説明するための図
【図１６】図１５に示す水平偏向電流の電流波形に対応した表示画面の状態を説明するための図
【図１７】水平偏向電流の歪みを低減してジグザグ状縦線障害を防止するための構成を等価回路で示した回路図
【図１８】図１７の等価回路の動作を示す波形図
【符号の説明】
１，８１  Ａ／Ｄコンバータ
２  映像用ラインメモリ
３，８５  Ｄ／Ａコンバータ
４  ＣＲＴ
５  書き込みクロック発生回路
６  水平偏向回路
７  磁界検出回路
８  クロック変調回路
２８  収束判定回路
３１  補正波形算出回路
３２  不連続補正回路
６０  水平偏向コイル
８０  ＤＴＯ
８２  往復偏向誤差検出回路
８３  クロック変調波形生成回路
８４  サイン波形発生回路
８６  ＬＰＦ
８７  逓倍器
１００  映像表示装置
１０１，１０２，１０３  入力端子
ＡＨ  水平偏向磁界
ＣＫＨ  クロック変調波形生成信号
ＣＳ  切替信号
ＧＨ，ＧＨＤ  磁界検出信号
ＧＰ  偏向誤差信号
Ｈｎ１  無変調期間
Ｈｎ２  変調期間
Ｈｎ３  補正期間
ＨＳ  水平同期信号
ＲＣＫ  読み出しクロック
ＳＨ  サイン波形信号
ＴＥ  収束判別信号
Ｔｉ  往復切替タイミング
ＶＤ０，ＶＤ１  映像信号
ＷＣＫ  書き込みクロック
【図１】
2005010241.tif 000003
【図２】
2005010241.tif 000004
【図３】
2005010241.tif 000005
【図４】
2005010241.tif 000006
【図５】
2005010241.tif 000007
【図６】
2005010241.tif 000008
【図７】
2005010241.tif 000009
【図８】
2005010241.tif 000010
【図９】
2005010241.tif 000011
【図１０】
2005010241.tif 000012
【図１１】
2005010241.tif 000013
【図１２】
2005010241.tif 000014
【図１３】
2005010241.tif 000015
【図１４】
2005010241.tif 000016
【図１５】
2005010241.tif 000017
【図１６】
2005010241.tif 000018
【図１７】
2005010241.tif 000019
【図１８】
2005010241.tif 000020